(57)【要約】      （修正有）【課題】摩耗性及び滑りにくさに優れたグリップを有するゴルフクラブの提供。【解決手段】クラブはグリップ８を有する。基準位置Ｋから先端側に３０ｍｍ隔てた位置が、位置Ａとされる。上記位置Ａから先端側に３０ｍｍ隔てた位置が、位置Ｂとされる。上記把持面の軸方向中央位置が、位置Ｃとされる。上記位置Ｃから後端側に１５ｍｍ隔てた位置が、位置Ｃ１とされる。上記位置Ｃから先端側に１５ｍｍ隔てた位置が、位置Ｃ２とされる。上記位置Ｃ１から上記位置Ｃ２までの区域が、第一区域Ｐ１とされる。上記位置Ａから上記位置Ｂまでの区域が、第二区域Ｐ２とされる。上記第一区域Ｐ１での凹み占有率は、上記第二区域Ｐ２での凹み占有率よりも小さい。このグリップの比重は０．９以下である。【選択図】図２
2019000659.tif 000002
【特許請求の範囲】
【請求項１】
ヘッド、シャフト及びグリップを備えており、
上記グリップが、把持面、先端及び後端を有しており、
上記把持面が、凹みを有しており、
上記把持面における最も後端側の位置が、基準位置Ｋとされ、
上記基準位置から先端側に３０ｍｍ隔てた位置が、位置Ａとされ、
上記位置Ａから先端側に３０ｍｍ隔てた位置が、位置Ｂとされ、
上記把持面の軸方向中央位置が、位置Ｃとされ、
上記位置Ｃから後端側に１５ｍｍ隔てた位置が、位置Ｃ１とされ、
上記位置Ｃから先端側に１５ｍｍ隔てた位置が、位置Ｃ２とされ、
上記位置Ｃ１から上記位置Ｃ２までの区域が、第一区域Ｐ１とされ、
上記位置Ａから上記位置Ｂまでの区域が、第二区域Ｐ２とされ、
上記基準位置Ｋから上記位置Ａまでの区域が、第三区域Ｐ３とされるとき、
上記第一区域Ｐ１での凹み占有率が、上記第二区域Ｐ２での凹み占有率よりも小さく、
上記第三区域Ｐ３での凹み占有率が、上記第二区域Ｐ２での凹み占有率よりも大きく、
上記グリップの比重が０．９以下であるゴルフクラブ。
【請求項２】
上記グリップの比重が０．５以上０．８以下であり、
上記グリップの重量が２０ｇ以上３５ｇ以下である請求項１に記載のゴルフクラブ。
【請求項３】
上記第一区域Ｐ１での凹み占有率が５％以上２３％以下である請求項１又は２に記載のゴルフクラブ。
【請求項４】
上記第一区域Ｐ１に、上記凹みとしての軸方向溝が形成されており、
この軸方向溝が、周方向正面位置に配置されている請求項１から３のいずれかに記載のゴルフクラブ。
【請求項５】
上記第二区域Ｐ２におけるテーパー率Ｔ２が、上記第一区域Ｐ１におけるテーパー率Ｔ１よりも大きく、
上記第三区域Ｐ３におけるテーパー率Ｔ３が、上記第二区域Ｐ２におけるテーパー率Ｔ２よりも大きい請求項１から４のいずれかに記載のゴルフクラブ。
【請求項６】
上記第一区域Ｐ１、上記第二区域Ｐ２及び上記第三区域Ｐ３のそれぞれが、同一の軸方向線上に位置する複数の上記凹みを有する請求項１から５のいずれかに記載のゴルフクラブ。
【請求項７】
ヘッド、シャフト及びグリップを備えており、
上記グリップが、把持面、先端及び後端を有しており、
上記把持面が、凹みを有しており、
上記把持面における最も後端側の位置が、基準位置Ｋとされ、
上記基準位置から先端側に３０ｍｍ隔てた位置が、位置Ａとされ、
上記位置Ａから先端側に３０ｍｍ隔てた位置が、位置Ｂとされ、
上記把持面の軸方向中央位置が、位置Ｃとされ、
上記位置Ｃから後端側に１５ｍｍ隔てた位置が、位置Ｃ１とされ、
上記位置Ｃから先端側に１５ｍｍ隔てた位置が、位置Ｃ２とされ、
上記位置Ｃ１から上記位置Ｃ２までの区域が、第一区域Ｐ１とされ、
上記位置Ａから上記位置Ｂまでの区域が、第二区域Ｐ２とされ、
上記基準位置Ｋから上記位置Ａまでの区域が、第三区域Ｐ３とされるとき、
上記第一区域Ｐ１での凹み占有率が、上記第二区域Ｐ２での凹み占有率よりも小さく、
上記グリップの比重が０．９以下であり、
上記第二区域Ｐ２におけるテーパー率Ｔ２が、上記第一区域Ｐ１におけるテーパー率Ｔ１よりも大きく、
上記第三区域Ｐ３におけるテーパー率Ｔ３が、上記第二区域Ｐ２におけるテーパー率Ｔ２よりも大きいゴルフクラブ。
【発明の詳細な説明】
【技術分野】
【０００１】
本発明は、グリップを有するゴルフクラブに関する。
【背景技術】
【０００２】
ゴルフクラブには、グリップが装着されている。グリップには、握りやすさ、滑りにくさ、耐久性等が要求される。
【０００３】
通常、グリップの表面には、複数の溝が形成されている。これらの溝は、滑りにくさに寄与しうる。実用新案出願公開平１−１２２７７３号公報は、グリップ本体全長のエンド側約１／２の表面に、周方向に等ピッチで、かつグリップ本体の長手方向に沿って、複数本の縦溝が形成されたグリップを開示している。前記縦溝の総表面積は、前記グリップ本体のエンド側約１／２の総表面積の１０〜５０％に設定されている。
【先行技術文献】
【特許文献】
【０００４】
【特許文献１】実用新案出願公開平１−１２２７７３号公報
【発明の概要】
【発明が解決しようとする課題】
【０００５】
上述の通り、溝等の凹みは、滑りにくさに寄与しうる。一方、この凹みにより、指とグリップとの接触面積は小さくなる。この場合、接触圧が高まり、摩耗が生じやすい。摩耗を抑制する観点から、耐摩耗性に優れた材料が選択されてもよい。しかしこの場合、材料選択の自由度が低下する。よって例えば、比重の小さな材料を選択することが難しい場合がある。
【０００６】
本発明の目的は、耐摩耗性及び滑りにくさに優れたグリップを有するゴルフクラブの提供にある。
【課題を解決するための手段】
【０００７】
好ましいゴルフクラブは、ヘッド、シャフト及びグリップを備えている。上記グリップは、把持面、先端及び後端を有している。上記把持面は、凹みを有している。上記把持面における最も後端側の位置が、基準位置Ｋとされる。上記基準位置から先端側に３０ｍｍ隔てた位置が、位置Ａとされる。上記位置Ａから先端側に３０ｍｍ隔てた位置が、位置Ｂとされる。上記把持面の軸方向中央位置が、位置Ｃとされる。上記位置Ｃから後端側に１５ｍｍ隔てた位置が、位置Ｃ１とされる。上記位置Ｃから先端側に１５ｍｍ隔てた位置が、位置Ｃ２とされる。上記位置Ｃ１から上記位置Ｃ２までの区域が、第一区域Ｐ１とされる。上記位置Ａから上記位置Ｂまでの区域が、第二区域Ｐ２とされる。上記第一区域Ｐ１での凹み占有率は、上記第二区域Ｐ２での凹み占有率よりも小さい。上記グリップの比重は、０．９以下である。
【０００８】
好ましくは、上記グリップの比重は、０．５以上０．８以下である。好ましくは、上記グリップの重量は、２０ｇ以上３５ｇ以下である。
【０００９】
好ましくは、上記第一区域Ｐ１での凹み占有率は、５％以上２３％以下である。
【００１０】
好ましくは、上記第一区域Ｐ１に、上記凹みとしての軸方向溝が形成されている。好ましくは、この軸方向溝が、周方向正面位置に配置されている。
【００１１】
好ましくは、上記グリップが着色剤を含む。
【発明の効果】
【００１２】
耐摩耗性及び滑りにくさに優れたグリップが得られうる。このグリップが装着されたゴルフクラブでは、振りやすさが達成されうる。
【図面の簡単な説明】
【００１３】
【図１】図１は、本発明の一実施形態に係るゴルフクラブの全体図である。図１では、グリップ表面に形成された凹みの記載が省略されている。
【図２】図２は、図１のゴルフクラブにおけるグリップ付近の拡大図である。図２では、グリップ表面に形成された凹みの記載が省略されている。
【図３】図３は、図２のＦ３−Ｆ３線に沿った断面図である。図３では、グリップ表面に形成された凹みの記載が省略されている。
【図４】図４は、グリップの表側の凹みパターンを示す展開図である。この展開図では、グリップ表面のうちの表側の半周面が、平面に展開されている。
【図５】図５は、グリップの裏側の凹みパターンを示す展開図である。この展開図では、グリップ表面のうちの裏側の半周面が、平面に展開されている。
【発明を実施するための形態】
【００１４】
以下、適宜図面が参照されつつ、好ましい実施形態に基づいて本発明が詳細に説明される。
【００１５】
なお、特に説明しない限り、本願において「軸方向」とは、シャフトの軸方向を意味する。特に説明しない限り、本願において「周方向」とは、シャフトの周方向を意味する。
【００１６】
図１は、本発明の一実施形態に係るゴルフクラブ２の全体図である。ゴルフクラブ２は、ゴルフクラブヘッド４、ゴルフクラブシャフト６及びゴルフクラブ用グリップ８を有する。ヘッド４は、シャフト６の一端部に取り付けられている。グリップ８は、シャフト６の他端部に取り付けられている。
【００１７】
ヘッド４として、ウッド型ヘッド、ユーティリティ型ヘッド、ハイブリッド型ヘッド、アイアン型ヘッド及びパターヘッドが例示される。本実施形態では、ヘッド４は、ウッド型である。シャフト６として、スチールシャフト及びカーボンシャフトが例示される。本実施形態では、シャフト６は、カーボンシャフトである。このシャフト６は、積層されたプリプレグによって形成されている。
【００１８】
後述されるように、本実施形態は、フルスイングを行うクラブにおいて効果的である。このため、パターを除くクラブが好ましい。好ましいクラブは、ウッド型ゴルフクラブ、ユーティリティ型ゴルフクラブ、ハイブリッド型ゴルフクラブ及びアイアン型ゴルフクラブである。
【００１９】
図２は、グリップ８部分の拡大図である。グリップ８は、把持面８ａとシャフト挿入孔とを有する。把持面８ａは、ゴルファーによって握られうる面である。把持面８ａは、グリップ８の外周面である。図２において図示されていないが、把持面８ａには、多数の溝が形成されている。この溝は凹みの一例である。図１及び図２では、これら凹みの記載が省略されている。これら凹みについては、後述される。
【００２０】
図示しないが、シャフト６は円筒状である。図示しないが、グリップ８は、略円筒状である。把持面８ａは、全体として、略円周面である。
【００２１】
図２が示すように、グリップ８は、先端Ｔｐと後端Ｂｔとを有する。グリップ８のグリップエンドは凸曲面を形成しており、この凸曲面の頂点付近が、後端Ｂｔである。
【００２２】
図３は、図２のＦ３−Ｆ３線に沿った断面図である。図３が示すように、グリップ８は、バックラインＢＬを有している。バックラインＢＬは、円周面よりも突出した部分を形成している。シャフト６が挿入される前のグリップ８において、グリップ８の外面は円周面である。一方、シャフト６が挿入される前のグリップ８において、グリップ８の内面に平坦部が形成されている。この平坦部は、他の部分に比較して、厚みが大きい厚肉部を形成している。シャフト６の挿入により、この厚肉部がバックラインＢＬとなる。
【００２３】
このバックラインＢＬは、グリップ軸方向に対して平行に延在している。グリップ８の周方向において、バックラインＢＬにおけるグリップ厚みは、バックラインＢＬが無い部分のグリップ厚みよりも大きい。このバックラインＢＬは、当業者において周知である。図３が示すように、バックラインＢＬは、外方に盛り上がっている。バックラインＢＬに起因して、シャフト６が挿入された後の把持面８ａの断面線Ｄ８は、真円では無い。
【００２４】
グリップ８は、バックラインＢＬを有していなくても良い。この場合、通常、周方向においてグリップ厚みは一定である。この場合、断面線Ｄ８は、上記凹みを無視すれば、円形である。なお、この断面線Ｄ８は、シャフト軸線Ｚ１に対して垂直な平面と把持面８ａとの交線である（図３参照）。
【００２５】
［位置Ｋ、Ａ、Ｂ、Ｃ、Ｃ１及びＣ２］
本願では、グリップにおける位置として、基準位置Ｋ、位置Ａ、位置Ｂ、位置Ｃ、位置Ｃ１及び位置Ｃ２が定義される。これらの位置は、いずれも、シャフト軸方向における位置を意味する。特に説明しない限り、本願において「位置」とはシャフト軸方向における位置を意味する。特に説明しない限り、本願において「距離」とはシャフト軸方向における距離を意味する。
【００２６】
これら各位置の定義は、次の通りである。
・［基準位置Ｋ］：把持面８ａにおける最も後端Ｂｔ側の位置が、基準位置Ｋと定義される。
・［位置Ａ］：基準位置Ｋから先端Ｔｐ側に３０ｍｍ隔てた位置が、位置Ａと定義される。
・［位置Ｂ］：位置Ａから先端Ｔｐ側に３０ｍｍ隔てた位置が、位置Ｂと定義される。換言すれば、この位置Ｂは、基準位置Ｋから先端Ｔｐ側に６０ｍｍ隔てた位置である。
・［位置Ｃ］：把持面８ａの軸方向中央位置が、位置Ｃと定義される。
・［位置Ｃ１］：位置Ｃから後端Ｂｔ側に１５ｍｍ隔てた位置が、位置Ｃ１と定義される。
・［位置Ｃ２］：位置Ｃから先端Ｔｐ側に１５ｍｍ隔てた位置が、位置Ｃ２と定義される。
【００２７】
図１において両矢印Ｌｇで示されているのは、把持面８ａの全長である。この全長Ｌｇは、軸方向に沿って測定される。把持面全長Ｌｇの単位がｍｍであるとき、上記位置Ｃと基準位置Ｋとの間の距離は、Ｌｇ／２（ｍｍ）である。
【００２８】
手のひらの寸法を考慮すると、全長Ｌｇは２１０ｍｍ以上が好ましく、２３０ｍｍ以上がより好ましく、２５０ｍｍ以上がより好ましい。軽量化の観点から、全長Ｌｇは、３００ｍｍ以下が好ましく、２８０ｍｍ以下がより好ましい。
【００２９】
本願では、グリップにおける区域として、第一区域Ｐ１、第二区域Ｐ２及び第三区域Ｐ３が定義される。これらの区域は、いずれも、シャフト軸方向における区域を意味する。
【００３０】
図２が示すように、第一区域Ｐ１は、位置Ｃ１から位置Ｃ２までの区域である。第一区域Ｐ１は、グリップ８の軸方向中央に位置する。第二区域Ｐ２は、位置Ａから位置Ｂまでの区域である。第三区域Ｐ３は、位置Ｋから位置Ａまでの区域である。
【００３１】
［周方向正面位置］
図３には、周方向正面基準位置ＣＦ１が示されている。この周方向正面基準位置ＣＦ１の決定では、ゴルフクラブ２が基準状態で静置される。この基準状態とは、ゴルフクラブ２が、規定のリアルロフト角及びライ角で水平面ＨＰ上に静置された状態である。この基準状態において、シャフト軸線Ｚ１は、水平面ＨＰに対して垂直な平面ＶＰ内に配置される。この平面ＶＰと把持面８ａとの交線は、周方向において２箇所存在する。これら２つの周方向位置のうちの上側が、周方向正面基準位置ＣＦ１である。この周方向正面基準位置ＣＦ１を中心とした、周方向に１０度の範囲が、周方向正面位置と定義される。周方向正面位置は、アドレス時においてゴルファーから見えやすい位置である。図３が示すように、周方向正面基準位置ＣＦ１は、バックラインＢＬの周方向中央位置ＢＬ１に対して１８０°相違している。
【００３２】
［角度θの周方向正面範囲］
図３には、角度θの周方向正面範囲ＣＲが示されている。この周方向正面範囲ＣＲは、周方向正面基準位置ＣＦ１を中心とした、周方向にθ度（ｄｅｇｒｅｅ）の範囲である。周方向正面基準位置ＣＦ１から周方向の一方側に（θ／２）度隔てた位置がＣＦ２とされ、周方向正面基準位置ＣＦ１から周方向の他方側に（θ／２）度隔てた位置がＣＦ３とされるとき、位置ＣＦ２から位置ＣＦ３までの周方向範囲が、角度θの周方向正面範囲ＣＲである。
【００３３】
周方向正面範囲ＣＲに関して、本願では、次の表記が用いられる。例えば、上記角度θが６０度の場合、周方向正面範囲ＣＲは、「周方向正面範囲（６０°）」と表記される。例えば、上記角度θが４０度の場合、周方向正面範囲ＣＲは、「周方向正面範囲（４０°）」と表記される。よって、前述の周方向正面位置は、周方向正面範囲（１０°）である。
【００３４】
［角度θの中央正面領域］
第一区域Ｐ１であり且つ角度θの周方向正面範囲ＣＲでもある領域が、中央正面領域Ｒ１である。図２には、中央正面領域Ｒ１がハッチングで示されている。  
【００３５】
中央正面領域Ｒ１に関して、本願では、次の表記が用いられる。例えば、上記角度θが６０度である場合、対応する中央正面領域Ｒ１は、中央正面領域（６０°）と表記される。例えば、周方向正面範囲ＣＲの上記角度θが４０度である場合、対応する中央正面領域Ｒ１は、中央正面領域（４０°）と表記される。図２においてハッチングで示されている領域Ｒ１は、中央正面領域（６０°）である。
【００３６】
［凹み占有率］
凹み占有率は、全体面積のうち、凹みの面積が占める割合である。全体面積がＡ１とされ、凹みの合計面積がＡ２とされるとき、凹み占有率（％）は、（Ａ２／Ａ１）×１００である。
【００３７】
凹み占有率は、区域ごとに算出されうる。本願では、第一区域Ｐ１における凹み占有率がＲｔ１（％）とされる。本願では、第二区域Ｐ２における凹み占有率がＲｔ２（％）とされる。本願では、第三区域Ｐ３における凹み占有率がＲｔ３（％）とされる。
【００３８】
把持面８ａの面積Ａ１は、後述される展開図を用いて、平面視において測定される。把持面８ａの形状が円錐形状である場合、この面積Ａ１は、この円錐面の表面積である。凹みの面積Ａ２も、後述される展開図を用いて、平面視において測定される。凹みが複数である場合、全ての凹みの面積の合計が、面積Ａ１である。凹みの面積Ａ１は、凹みの開口面積である。
【００３９】
なお、グリップ表面が可展面でない部分（非可展面）を有する場合がある。この非可展面については、軸方向における積分を用いて、面積Ａ１及びＡ２が算出されうる。この積分では、面積Ａ１は、凹みの開口を塞ぐ仮想直線に基づいて、計算される。
【００４０】
図４は、グリップ８の表側の凹みパターンを示す展開図である。この図４は、前述の周方向正面基準位置ＣＦ１を中心とした±９０°の周方向範囲を示している。換言すれば、この図４は、表側１８０°の周方向範囲を示している。
【００４１】
図５は、グリップ８の裏側の凹みパターンを示す展開図である。この図５は、前述の周方向中央位置ＢＬ１を中心とした±９０°の周方向範囲を示している。換言すれば、この図５は、裏側１８０°の周方向範囲を示している。図４及び図５により、グリップ８の表面の全体が示されている。
【００４２】
図４及び図５が示すように、グリップ８の表面には、多数の凹みｒ１が設けられている。なお、図４及び図５においては、凹みｒ１の開口縁が、線によって描かれている。この線の内側は白抜きで示されているが、この白抜きの部分も凹みｒ１である。
【００４３】
凹みｒ１は、溝を含む概念である。本実施形態では、凹みｒ１の多くが、溝である。凹みｒ１は、軸方向溝ｒｚ１と、周方向溝ｒｃ１とを含む。凹みｒ１は、グリップ用金型の凸部によって成形されている。
【００４４】
凹みｒ１は、点状であってもよい。凹みｒ１は、文字を示していてもよい。この文字は、例えば、ゴルフクラブの商品名を示してもよい。凹みｒ１の内部にペイントが配置されてもよい。このペイントにより、特定の凹部ｒ１を目立たせることができる。
【００４５】
グリップ８は、ランドＬｄを有する。グリップ８の表面のうち、凹みｒ１が形成されていない部分が、本願においてランドＬｄと称される。ランドＬｄは円周面である。グリップ８の製造の仕上げ工程において、グリップ８の表面は研磨される。この研磨は、ランドＬｄに施される。すなわち、ランドＬｄは、研磨されている。一方、凹みｒ１の内部は、研磨されていない。
【００４６】
上述の面積Ａ１は、ランドＬｄの面積と凹みｒ１の面積との和である。ランドＬｄが多いほど、凹み占有率は小さい。凹みｒ１が無く、把持面８ａの全てがランドＬｄである仮想グリップが想定されるとき、この仮想グリップのランドＬｄの面積が、上記面積Ａ１である。
【００４７】
［主たる親指とグリップとの当接］
本願において、右利きゴルファーにおける左手の親指が、主たる親指とも称される。左利きゴルファーにおける右手の親指も、主たる親指と称される。
【００４８】
ゴルフスイングでは、主たる親指とグリップとの当接は、重要である。この当接は、コックの角度に影響しうる。この当接は、フェース面の向きに影響しうる。この当接は、打球結果への影響が大きい。ナイスショットをしようとするゴルファーは、主たる親指に力を入れる傾向にある。多くの場合、ゴルフスイングでは、主たる親指は、比較的強い力で、グリップを押圧する。
【００４９】
スイング中又はアドレスにおいて、主たる親指は、グリップ８の表面上を摺動しうる。アドレスでは、握り直し及びワッグルによって、この摺動が生じうる。スイング中では、クラブ及び腕の回転運動に起因して、この親指の摺動が生じうる。
【００５０】
強い押圧力が作用した状態で親指が摺動すると、摩耗が生じやすい。このため、主たる親指が当接する部分には、摩耗が生じやすい。
【００５１】
本実施形態では、主たる親指が当接しやすい区域において、凹み占有率が小さい。このため、接触面積増大効果が得られる。接触面積の増大により、当接圧力が減少しうる。この圧力の減少により、耐摩耗性が高められうる。
【００５２】
溝等の凹みにより、グリップの剛性は低下しうる。凹み占有率が大きい場合、押圧による変形が生じやすい。主たる親指による当接によってグリップが過度に変形する場合、スイング中においてクラブの動きが不安定となりうる。この不安定さは、ナイスショットの確率を低下させうる。
【００５３】
凹み占有率Ｒｔ１が抑制されることで、主たる親指によるグリップの変形が抑制されうる。よって、スイング中においてクラブが安定しやすい。特に、トップオブスイングにおいてクラブの動きが安定しやすい。この安定性は、ナイスショットの確率を増加させうる。このように、凹み占有率Ｒｔ１を小さくすることで、グリップ変形抑制効果が奏されうる。
【００５４】
多数のゴルファーによるテストを行った結果、主たる親指が当接しやすい区域は、上記第一区域Ｐ１であることが判明した。本実施形態では、第一区域Ｐ１での凹み占有率Ｒｔ１が、第二区域Ｐ２での凹み占有率Ｒｔ２よりも小さい。凹み占有率Ｒｔ１が抑制されることで、上記接触面積増大効果が高められている。
【００５５】
本実施形態では、第二区域Ｐ２での凹み占有率Ｒｔ２が比較的大きい。多数のゴルファーによるテストを行った結果、この第二区域Ｐ２には、右利きゴルファーにおける左手の中指及び薬指が位置しやすいことが判明した。同様に、この第二区域Ｐ２には、左利きゴルファーにおける右手の中指及び薬指が位置しやすいことが判明した。これら２本の指は、グリップの握りにおいて重要であることが知られている。これらの２本の指は、滑りを抑制するのに主要な役割を果たすことが知られている。凹み占有率Ｒｔ２が高いことにより、グリップの滑りが効果的に抑制される。換言すれば、凹み占有率Ｒｔ２が高いことにより、滑り抑制効果が高まる。この滑り抑制効果は、スイングを容易とする。この滑り抑制効果は、飛距離の向上に寄与しうる。
【００５６】
凹み占有率Ｒｔ１が凹み占有率Ｒｔ２よりも小さくされることにより、接触面積増大効果及び滑り抑制効果の両方が得られる。このため、ナイスショットの確率が向上しうる。
【００５７】
好ましくは、グリップ８の比重は、０．９以下とされる。より好ましくは、グリップ８の比重は、０．８以下とされる。より好ましくは、グリップ８の比重は、０．７以下とされる。より好ましくは、グリップ８の比重は、０．６以下とされる。低い比重により、グリップ８が軽量化されうる。軽いグリップ８は、振りやすさの向上に寄与しうる。軽いグリップ８は、ヘッドスピード及び飛距離の増大に寄与しうる。
【００５８】
小さな比重は、ゴム成分以外の低比重成分によって実現されうる。小さな比重は、気泡によって実現されうる。気泡を含むゴムは、発泡ゴムとも称される。比重の小さなグリップは、耐摩耗性が低い傾向にある。本実施形態では、上述の接触面積増大効果により、摩耗が抑制される。比重の小さなグリップでは、接触面積増大効果に起因する耐摩耗性の向上が際立つ。
【００５９】
強度の観点から、グリップ８の比重は、０．５以上であるのが好ましい。
【００６０】
上述の通り、軽量グリップでは、耐摩耗性の効果が際立つ。また、軽量グリップでは、振りやすさ及び飛距離が向上しうる。これらの観点から、グリップ重量は、３５ｇ以下が好ましく、３３ｇ以下がより好ましく、３０ｇ以下がより好ましい。過度に軽いグリップでは、スイング時に違和感が生ずることがある。この観点から、グリップ重量は、２０ｇ以上が好ましく、２２ｇ以上がより好ましく、２５ｇ以上がより好ましい。
【００６１】
比重の小さな素材は、剛性が低い傾向にある。軽量グリップの剛性は低い傾向にある。よって、軽量グリップでは、上述したグリップ変形抑制効果が際立つ。
【００６２】
上述の接触面積増大効果を高める観点から、第一区域Ｐ１の凹み占有率Ｒｔ１は、２３％以下が好ましく、２２％以下がより好ましく、２１％以下がより好ましい。主たる親指の滑りを抑制する観点から、凹み占有率Ｒｔ１は、５％以上が好ましく、７％以上がより好ましい
【００６３】
図４が示すように、第一区域Ｐ１に、軸方向溝ｒｚ１が設けられている。この軸方向溝ｒｚ１は、周方向正面位置に配置された軸方向溝ｒｚ１０である。主たる親指の摺動は、周方向において生じやすい。軸方向溝ｒｚ１０は、周方向に対して直交する軸方向に沿って配置されている。よってこの軸方向溝ｒｚ１０は、主たる親指の滑りを効果的に抑制しうる。更に、軸方向溝ｒｚ１０は、周方向正面基準位置ＣＦ１に配置されている。よって、主たる親指の滑りが効果的に抑制されうる。この滑りの抑制により、ショットの再現性が高まり、ナイスショットの確率が向上しうる。更に、この滑りの抑制により、摩耗の発生が抑制される。
【００６４】
軸方向溝ｒｚ１０は、他の凹みｒ１との距離が３ｍｍ以上である。この構成は、凹み占有率を抑制しつつ、親指の滑りをも抑制しうる。
【００６５】
主たる親指は、グリップ８の表側に当接する傾向にある。更に、多数のゴルファーによるテストの結果、主たる親指は、周方向正面位置に当接しやすいことが判明した。これらの観点から、好ましい構成として、以下の（Ｘ１）、（Ｘ２）、（Ｘ３）、（Ｘ４）及び（Ｘ５）が挙げられる。
（Ｘ１）中央正面領域（４０°）における凹み占有率は、第一区域Ｐ１における凹み占有率Ｒｔ１よりも低い。
（Ｘ２）中央正面領域（４０°）における凹み占有率は、中央正面領域（６０°）における凹み占有率よりも低い。
（Ｘ３）中央正面領域（３０°）における凹み占有率は、中央正面領域（６０°）における凹み占有率よりも低い。
（Ｘ４）中央正面領域（２０°）における凹み占有率は、中央正面領域（６０°）における凹み占有率よりも低い。
（Ｘ５）中央正面領域（１０°）における凹み占有率は、中央正面領域（６０°）における凹み占有率よりも低い。
【００６６】
本実施形態のグリップ８は、上記（Ｘ１）を充足している。本実施形態のグリップ８は、上記（Ｘ２）を充足している。本実施形態のグリップ８は、上記（Ｘ３）を充足している。本実施形態のグリップ８は、上記（Ｘ４）を充足している。本実施形態のグリップ８は、上記（Ｘ５）を充足している。
【００６７】
グリップ８は、１層構造であってもよいし、複数層構造であってもよい。本実施形態のグリップ８は、１層構造である。グリップエンド部分を除いて、グリップ８は、発泡ゴムによって形成されている。グリップエンド部分を除く把持面８ａの全体が、発泡ゴムによって形成されている。第一区域Ｐ１において、把持面８ａは、発泡ゴムによって形成されている。第二区域Ｐ２において、把持面８ａは、発泡ゴムによって形成されている。第三区域Ｐ３において、把持面８ａは、発泡ゴムによって形成されている。
【００６８】
グリップ８の材質は限定されない。グリップ８の材質として、ゴム組成物及び樹脂組成物が例示される。このゴム組成物におけるゴムとしては、例えば、天然ゴム（ＮＲ）、エチレンプロピレンジエンゴム（ＥＰＤＭ）、スチレンブタジエンゴム（ＳＢＲ）、イソプレンゴム（ＩＲ）、ブタジエンゴム（ＢＲ）、クロロプレンゴム（ＣＲ）、アクリロニトリルブタジエンゴム（ＮＢＲ）などが挙げられる。特に、天然ゴム、又は天然ゴムに親和性の良いエチレンプロピレンジエンゴムもしくはスチレンブタジエンゴムなどをブレンド（混合）したものが、好ましい。
【００６９】
ゴム組成物にはオイルが配合されてもよい。このオイルとしては、例えばアロマチック系オイル、ナフテン系オイル、パラフィン系オイルなどが用いられうる。
【００７０】
硫黄架橋がなされる場合、硫黄が配合される。
【００７１】
グリップのゴム組成物には、例えば補強剤、充填剤、加硫促進剤、加硫助剤などが必要に応じて適宜配合されてもよい。さらに老化防止剤、加工助剤などが配合されてもよい。
【００７２】
上記補強剤としては、例えば、カーボン、シリカなどが用いられうる。充填剤としては、例えばハードクレー、炭酸カルシウム、炭酸マグネシウム、クレーなどが用いられ、加硫助剤としては、例えば酸化亜鉛とステアリン酸などが用いられる。加硫促進剤は、公知の方法に従い、使用するゴムにあわせて適宜選択されうる。
【００７３】
グリップの材質として、樹脂組成物も用いられうる。この樹脂組成物に含まれる樹脂として、熱可塑性樹脂が挙げられる。この熱可塑性樹脂は、射出成形に用いられうる。この熱可塑性樹脂として、熱可塑性エラストマーが好ましく、ソフトセグメントとハードセグメントとを含む熱可塑性エラストマーがより好ましい。グリップ性と耐摩耗性との両立の観点から、ウレタン系熱可塑性エラストマーがより好ましい。
【００７４】
ゴム１００質量部に対する好ましい配合比率は、例えば、補強剤が５〜７０質量部、充填剤が１０〜７０質量部、加硫促進剤が０．１〜３質量部、加硫助剤が１〜１０質量部である。
【００７５】
着色剤が配合されていてもよい。この着色剤は、黒以外の色をグリップ８に付与しうる。典型的な着色剤は、顔料である。この顔料として、有機顔料及び無機顔料が例示される。有機顔料として、アゾ系顔料、フタロシアニン顔料、キナクリドン系顔料及び染色レーキ顔料が例示される。無機顔料として、複合酸化物系顔料が例示される。なお、カーボンブラックは、着色剤ではない。
【００７６】
着色剤の配合により、ゴム成分の割合は低下しうる。着色剤の配合により、補強剤の割合は低下しうる。着色剤の配合に起因して、グリップ８の耐摩耗性は低下しやすい。よって、着色剤が配合されたグリップ８では、上述した接触面積増大効果が際立つ。
【００７７】
上記ゴム組成物が発泡ゴムとされる場合、発泡剤が配合されうる。この発泡剤の一例は、熱分解型発泡剤である。この熱分解型発泡剤として、アゾジカルボンアミドのようなアゾ化合物、ジニトロソペンタメチレンテトラミンのようなニトロソ化合物及びトリアゾール化合物が例示される。
【００７８】
グリップ８の製法は限定されない。グリップ８は、公知の製法により製造されうる。この製法として、プレス成形と射出成形とが例示される。
【００７９】
プレス成形では、ゴム組成物を金型内に充填し、加圧及び加熱がなされる。加熱温度は、通常、１３０〜２００℃とされるが、これに限定されない。加熱時間は、通常、３〜１５分間とされるが、これに限定されない。
【００８０】
グリップの過度な変形を抑制するとともに、特にドライ時におけるグリップ性を高める観点から、グリップのＪＩＳ−Ａ硬度は、３０以上が好ましく、３５以上がより好ましく、４０以上が特に好ましい。握りのフィーリングが過度に硬くなることを抑制し、ウエット時におけるグリップ性を高める観点から、グリップのＪＩＳ−Ａ硬度は、７０以下が好ましく、６０以下がより好ましく、５０以下が特に好ましい。このＪＩＳ−Ａ硬度は、ＪＩＳ−Ｋ−６２５３の規定に従い測定される。
【００８１】
本願では、「グリップ太さ」との用語が用いられる。このグリップ太さは、シャフト軸方向の各位置において定まる。把持面８ａの断面線Ｄ８が円形である場合、グリップ太さは、断面線Ｄ８の直径に等しい。把持面８ａの断面線Ｄ８が円形でない場合、グリップ外形幅Ｗ８が考慮される（図３参照）。グリップ太さは、グリップ外形幅Ｗ８の最大値と、グリップ外形幅Ｗ８の最小値との平均値と定義される。
【００８２】
第一区域Ｐ１において、グリップ太さは、先端Ｔｐ側にいくほど小さくされている。第二区域Ｐ２において、グリップ太さは、先端Ｔｐ側にいくほど小さくされている。位置Ｂから位置Ｃまでの区域において、グリップ太さは、先端Ｔｐ側にいくほど小さくされている。第三区域Ｐ３において、グリップ太さは、先端Ｔｐ側にいくほど小さくされている。これらの構成は、握りやすさに寄与している。
【００８３】
図３が示すように、上記グリップ外形幅Ｗ８は、上記断面線Ｄ８に接する第一の直線Ｌ１と、上記断面線Ｄ８に接する第二の直線Ｌ２との距離を意味する。ただし、この直線Ｌ２は直線Ｌ１に平行である。また、この直線Ｌ２は、上記直線Ｌ１とは異なる点において断面線Ｄ８に接している。一般に、このグリップ太さは、グリップ径などと称される。本願では、グリップの断面形状が必ずしも円形でないことを考慮して、「グリップ太さ」との用語が用いられる。
【００８４】
本願では、各区域におけるテーパー率が考慮される。
【００８５】
第一区域Ｐ１におけるテーパー率Ｔ１は、次の計算式により算出される。ただし、Ｇ１は、上記位置Ｃ１におけるグリップ太さであり、単位はｍｍである。Ｇ２は、上記位置Ｃ２におけるグリップ太さであり、単位はｍｍである。
Ｔ１＝（Ｇ１−Ｇ２）／３０
【００８６】
第二区域Ｐ２におけるテーパー率Ｔ２は、次の計算式により算出される。ただし、Ｇａは、上記位置Ａにおけるグリップ太さであり、単位はｍｍである。Ｇｂは、上記位置Ｂにおけるグリップ太さであり、単位はｍｍである。
Ｔ２＝（Ｇａ−Ｇｂ）／３０
【００８７】
第三区域Ｐ３におけるテーパー率Ｔ３は、次の計算式により算出される。ただし、Ｇｋは、上記位置Ｋにおけるグリップ太さであり、単位はｍｍである。Ｇａは、上述の通りである。
Ｔ３＝（Ｇｋ−Ｇａ）／３０
【００８８】
本実施形態では、テーパー率Ｔ２はテーパー率Ｔ１よりも大きい。このため、握りやすさが向上している。
【００８９】
本実施形態では、テーパー率Ｔ３はテーパー率Ｔ２よりも大きい。このため、握りやすさが向上している。スイング中には、クラブ２に遠心力が作用する。この遠心力により、クラブ２は軸方向に滑りやすい。大きなテーパー率Ｔ３は、遠心力に起因する滑りを効果的に抑制しうる。
【００９０】
遠心力による滑りを抑制する観点から、第三区域Ｐ３における凹み占有率Ｒｔ３は、上記凹み占有率Ｒｔ２よりも高いのが好ましい。上記実施形態は、Ｒｔ３＞Ｒｔ２を充足している。
【００９１】
遠心力による滑りを抑制する観点から、上記凹み占有率Ｒｔ３は、上記凹み占有率Ｒｔ１よりも高いのが好ましい。上記実施形態は、Ｒｔ３＞Ｒｔ１を充足している。
【００９２】
遠心力による滑りを抑制する観点から、上記凹み占有率Ｒｔ３は、中央正面領域（１８０°）における凹み占有率よりも高いのが好ましい。上記実施形態は、この関係を充足している。
【００９３】
遠心力による滑りを抑制する観点から、上記凹み占有率Ｒｔ３は、中央正面領域（６０°）における凹み占有率よりも高いのが好ましい。上記実施形態は、この関係を充足している。
【００９４】
遠心力による滑りを抑制する観点から、上記凹み占有率Ｒｔ３は、中央正面領域（４０°）における凹み占有率よりも高いのが好ましい。上記実施形態は、この関係を充足している。
【００９５】
滑りの抑制及び上記接触面積増大効果の観点から、第二区域Ｐ２における凹み占有率Ｒｔ２は、中央正面領域（１８０°）における凹み占有率よりも高いのが好ましい。上記実施形態は、この関係を充足している。
【００９６】
滑りの抑制及び上記接触面積増大効果の観点から、上記凹み占有率Ｒｔ２は、中央正面領域（６０°）における凹み占有率よりも高いのが好ましい。上記実施形態は、この関係を充足している。
【００９７】
滑りの抑制及び上記接触面積増大効果の観点から、上記凹み占有率Ｒｔ２は、中央正面領域（４０°）における凹み占有率よりも高いのが好ましい。上記実施形態は、この関係を充足している。
【実施例】
【００９８】
以下、実施例によって本発明の効果が明らかにされるが、この実施例の記載に基づいて本発明が限定的に解釈されるべきではない。
【００９９】
［実施例１］
上述のグリップ８と同じグリップが作製された。マンドレルを有する金型が用いられた。発泡剤及び青の顔料を含むゴム組成物が用意された。上記金型にこのゴム組成物を仕込み、加熱及び加圧を行って、グリップ成形体を得た。このグリップ成形体の表面を研磨して、実施例１のグリップを得た。このグリップは、図４及び図５に示される多数の凹みを有していた。グリップの重量は２５ｇであった。グリップの比重は０．６であった。このグリップを、市販のゴルフクラブに装着した。このゴルフクラブとして、ダンロップスポーツ社製の商品名「ゼクシオ  セブン  ドライバー  ロフト１０．５°」が用いられた。標準のグリップが取り外され、実施例１のグリップが装着された。周方向正面基準位置ＣＦ１が図４に示される位置となるように、グリップが装着された。このグリップの凹み占有率は次の通りであった。
・第一区域Ｐ１における凹み占有率Ｒｔ１：２０．８（％）
・第二区域Ｐ２における凹み占有率Ｒｔ２：２３．４（％）
・第三区域Ｐ３における凹み占有率Ｒｔ３：２６．５（％）
【０１００】
［実施例２］
図４に示される軸方向溝ｒｚ１０が除去された他は実施例１と同様にして、実施例２のグリップ及びゴルフクラブを得た。
【０１０１】
［実施例３］
中央正面領域（６０°）に凹みｒ１を追加し、凹み占有率Ｒｔ１を２２．８（％）とした。その他は実施例１と同様にして、実施例３のグリップ及びゴルフクラブを得た。
【０１０２】
［比較例１］
中央正面領域（６０°）に凹みｒ１を追加し、凹み占有率Ｒｔ１を２６．２（％）とした。その他は実施例１と同様にして、比較例１のグリップ及びゴルフクラブを得た。
【０１０３】
［比較例２］
第二区域Ｐ２の凹みｒ１の一部を除去し、且つ、第一区域Ｐ１に凹みｒ１が追加された。その他は実施例１と同様にして、比較例２のグリップ及びゴルフクラブを得た。この比較例２では、凹み占有率Ｒｔ１が２３．１（％）であり、凹み占有率Ｒｔ２が２０．４（％）であった。
【０１０４】
［評価方法］
【０１０５】
［摩耗促進テスト］
摩耗促進テスト用として、特殊なテスト用手袋を作製した。市販のゴルフ手袋（左手用）が用意された。このゴルフ手袋の親指に対応する部分に、研磨用の粒子を付着させて、テスト用手袋を得た。ハンディキャップが１０以上２０以下である１０名のゴルファーがテストを行った。全てのゴルファーは右利きであった。上記テスト用手袋を装着した各ゴルファーが、各クラブで２５０回ずつショットした。この結果、それぞれのクラブで２５００回のショットがなされた。打撃テストの前後で、グリップ重量を精密に測定して、摩耗重量を求めた。各クラブにおける摩耗重量は次の通りであった。
・実施例１：０．０４ｇ 
・実施例２：０．０７ｇ
・実施例３：０．０９ｇ
・比較例１：０．１４ｇ
・比較例２：０．１０ｇ
【０１０６】
［飛距離］
上述の１０名のゴルファーのそれぞれが、各クラブで、１０回づつショットした。ボールとして、ダンロップスポーツ社製の商品名「ＸＸＩＯ  ＸＤ」が用いられた。各ショットについて、飛距離が計測された。１００のデータの平均値は、次の通りであった。滑りにくく振りやすいクラブでは、ミスショットが少なく、平均飛距離が大きかった。
・実施例１：２５８ヤード
・実施例２：２４９ヤード
・実施例３：２５１ヤード
・比較例１：２４０ヤード
・比較例２：２３３ヤード
【０１０７】
これらの評価結果から、本発明の優位性は明らかである。
【産業上の利用可能性】
【０１０８】
本発明は、あらゆるゴルフクラブに適用されうる。
【符号の説明】
【０１０９】
２・・・ゴルフクラブ
４・・・ヘッド
６・・・シャフト
８・・・グリップ
８ａ・・・把持面
Ｌｇ・・・把持面の全長
Ｚ１・・・シャフト軸線
ｒ１・・・凹み
ｒｚ１・・・軸方向溝（凹み）
Ｌｄ・・・ランド（凹みの無い部分）
Ｐ１・・・第一区域
Ｐ２・・・第二区域
Ｐ３・・・第三区域
ＣＦ１・・・周方向正面基準位置
【図１】
2019000659.tif 000003
【図２】
2019000659.tif 000004
【図３】
2019000659.tif 000005
【図４】
2019000659.tif 000006
【図５】
2019000659.tif 000007